(57)【要約】【課題】  原稿給送装置に対して高い視点のユーザに対しても、低い視点のユーザに対しても、原稿積載トレイ上に載置した原稿のサイズを容易に確認できる原稿給送装置を提供する。【解決手段】  シート状の原稿を給送する原稿給送装置１００において、原稿を積載する原稿積載トレイ２と、原稿積載トレイ２に積載された原稿の幅方向を規制する幅方向規制板５及び６と、原稿サイズを指示するための目盛りを有する原稿サイズ指標７とを有し、原稿サイズ指標７は、原稿給送装置１００に対し上方の第１の視点、及び原稿給送装置１００に対し同等の高さ且つ斜め前方の第２の視点のどちらの視点からでも、幅方向規制板６により指示される原稿サイズを確認できるよう配置する。【選択図】  図１
2004299907.tif 000002
【特許請求の範囲】
【請求項１】
原稿を積載する積載手段と、
原稿サイズを指示するための目盛りを有する指標手段と、
前記積載手段に積載された原稿の幅方向を規制するとともに、前記指標手段の目盛りを指し示す規制手段と、を有し、
前記指標手段は、前記積載手段に対し上方の第１の視点、及び前記積載手段に対し同等の高さ且つ斜め前方の第２の視点のどちらの視点からでも、前記規制手段により指し示される原稿サイズを確認できるよう配置されることを特徴とする原稿給送装置。
【請求項２】
装置上部に設けられた上部カバーを有し、
前記指標手段は、前記上部カバーに設けられていることを特徴とする請求項１記載の原稿給送装置。
【請求項３】
前記指標手段は、前記上部カバーの上面から側面にかけて折れ曲がったＬ字形状で配置することを特徴とする請求項２記載の原稿給送装置。
【請求項４】
前記指標手段は、前記上部カバーの上面及び側面の両方に原稿サイズを示す目盛りを有することを特徴とする請求項３記載の原稿給送装置。
【請求項５】
前記規制手段は、原稿の幅方向両側から規制するよう前記原稿給送装置に対し奥側と手前側の１対からなり、奥側よりも手前側の方を低くすることを特徴とする請求項１記載の原稿給送装置。
【請求項６】
原稿が前記積載手段上に正確に積載されたことを発光して知らせる発光手段を有し、
前記発光手段は、前記上部カバーの上面から側面にかけた角部に設けられることを特徴とする請求項２記載の原稿給送装置。
【請求項７】
前記規制手段に、所定の原稿サイズに合わせる毎にクリック感を持たせることを特徴とする請求項１記載の原稿給送装置。
【請求項８】
前記規制手段の上面に、前記指標手段の目盛りを指すマークを有することを特徴とする請求項１記載の原稿給送装置。
【請求項９】
原稿を積載する積載手段と、
装置上部に設けられた上部カバーと、
前記積載手段上面に設けられ、原稿サイズを指示するための目盛りを有する第１の指標手段と、
前記上部カバー側面に設けられ、原稿サイズを指示するための目盛りを有する第２の指標手段と、
前記積載手段に積載された原稿の幅方向を規制するとともに、前記第１の指標手段及び第２の指標手段の目盛りを指し示す規制手段と、を有し、
前記第１の指標手段は、前記積載手段に対し上方の第１の視点から、前記規制手段により指し示される原稿サイズを確認できるよう配置され、
前記第２の指標手段は、前記積載手段に対し同等の高さ且つ斜め前方の第２の視点から、前記規制手段により指し示される原稿サイズを確認できるよう配置されることを特徴とする原稿給送装置。
【請求項１０】
前記規制手段は、前記積載手段上面に設けられた前記指標手段の目盛りを指す突起と、前記上部カバー側面に設けられた前記指標手段の目盛りを指す突起を有することを特徴とする請求項９記載の原稿給送装置。
【請求項１１】
原稿を積載する積載手段と、
装置上部に設けられた上部カバーと、
前記積載手段上面に設けられ、原稿サイズを指示するための目盛りを有する第１の指標手段と、
前記上部カバー側面に設けられ、原稿サイズを指示するための目盛りを有する第２の指標手段と、
前記積載手段に積載された原稿の幅方向を規制するとともに、前記第１の指標手段の目盛りを指し示す第１の規制手段と、
前記積載手段に積載された原稿の幅方向を規制するとともに、前記第２の指標手段の目盛りを指し示す第２の規制手段と、を有し、
前記第１の指標手段は、前記積載手段に対し上方の第１の視点から、前記第１の規制手段により指し示される原稿サイズを確認できるよう配置され、
前記第２の指標手段は、前記積載手段に対し同等の高さ且つ斜め前方の第２の視点から、前記第２の規制手段により指し示される原稿サイズを確認できるよう配置されることを特徴とする原稿給送装置。
【請求項１２】
前記第１の規制手段は、前記第１の指標手段の目盛りを指す突起を有し、
前記第２の規制手段は、前記第２の指標手段の目盛りを指す突起を有することを特徴とする請求項１１記載の原稿給送装置。
【請求項１３】
前記第２の規制手段は、前記第２の指標手段側が窪んでいることを特徴とする請求項１１記載の原稿給送装置。
【請求項１４】
前記第２の規制手段は、前記第１の指標手段よりも低く設けられていることを特徴とする請求項９又は１１記載の原稿給送装置。
【発明の詳細な説明】
【技術分野】
【０００１】
本発明は、所定サイズの原稿の幅方向規制板を備え、その幅に合わせて原稿サイズを指示する、原稿サイズ指標を配置した原稿給送装置に関する。
【背景技術】
【０００２】
従来の原稿給送装置において、原稿を積載する際には、原稿積載トレイ上に設けられた原稿サイズ指標に、幅方向規制板を合わせて原稿サイズを指示している。幅方向規制板は、装置に対して上方からのユーザの視点ではサイズ指標によりその位置を容易に、且つ、正確に決めることができるが、例えば、車椅子に座った状態などの視点の低い位置からは原稿積載トレイ上面の原稿サイズ指標が確認できず、幅方向規制板の位置を決めることが困難である。
【０００３】
そこで、幅方向規制板の移動に連動してサイズ指示指針が移動し、原稿給送装置の立面部分に設けられた原稿サイズ指標を指示することで、原稿積載トレイ上に積載されるシートのサイズを低い視点からでも確認できるようにしたものがある（例えば、特許文献１参照。）。
【特許文献１】特開平６−１４４５９４
【発明の開示】
【発明が解決しようとする課題】
【０００４】
しかしながら、上記従来技術において、原稿サイズ指標を原稿給送装置の立面部分に設けることで低い視点からシートサイズを確認できるものの、原稿給送装置よりも上部からの視点ではシートサイズを確認できず、正確に幅方向規制板の位置決めができないという問題があった。位置が正確に決まらないままコピーをスターとすると、原稿が斜行してしまい、ジャム、原稿の破損などといった不具合を生じることがある。
【０００５】
そこで、本発明の目的は、原稿給送装置に対して高い視点のユーザに対しても、低い視点のユーザに対しても、原稿積載トレイ上に載置した原稿のサイズを容易に確認できる原稿給送装置を提供することにある。
【課題を解決するための手段】
【０００６】
上記目的を達成するため、本発明は下記の構成を特徴とする原稿給送装置を提供するものである。
【０００７】
（１）原稿を積載する積載手段と、原稿サイズを指示するための目盛りを有する指標手段と、前記積載手段に積載された原稿の幅方向を規制するとともに、前記指標手段の目盛りを指し示す規制手段と、を有し、前記指標手段は、前記積載手段に対し上方の第１の視点、及び前記積載手段に対し同等の高さ且つ斜め前方の第２の視点のどちらの視点からでも、前記規制手段により指し示される原稿サイズを確認できるよう配置されることを特徴とする原稿給送装置。
【０００８】
（２）原稿を積載する積載手段と、装置上部に設けられた上部カバーと、前記積載手段上面に設けられ、原稿サイズを指示するための目盛りを有する第１の指標手段と、前記上部カバー側面に設けられ、原稿サイズを指示するための目盛りを有する第２の指標手段と、前記積載手段に積載された原稿の幅方向を規制するとともに、前記第１の指標手段及び第２の指標手段の目盛りを指し示す規制手段と、を有し、前記第１の指標手段は、前記積載手段に対し上方の第１の視点から、前記規制手段により指し示される原稿サイズを確認できるよう配置され、前記第２の指標手段は、前記積載手段に対し同等の高さ且つ斜め前方の第２の視点から、前記規制手段により指し示される原稿サイズを確認できるよう配置されることを特徴とする原稿給送装置。
【０００９】
（３）原稿を積載する積載手段と、装置上部に設けられた上部カバーと、前記積載手段上面に設けられ、原稿サイズを指示するための目盛りを有する第１の指標手段と、前記上部カバー側面に設けられ、原稿サイズを指示するための目盛りを有する第２の指標手段と、前記積載手段に積載された原稿の幅方向を規制するとともに、前記第１の指標手段の目盛りを指し示す第１の規制手段と、前記積載手段に積載された原稿の幅方向を規制するとともに、前記第２の指標手段の目盛りを指し示す第２の規制手段と、を有し、前記第１の指標手段は、前記積載手段に対し上方の第１の視点から、前記規制手段により指し示される原稿サイズを確認できるよう配置され、前記第２の指標手段は、前記積載手段に対し同等の高さ且つ斜め前方の第２の視点から、前記規制手段により指し示される原稿サイズを確認できるよう配置されることを特徴とする原稿給送装置。
【発明の効果】
【００１０】
以上の説明のように、本発明によれば、指標手段は、積載手段に対し上方の第１の視点、及び積載手段に対し同等の高さ且つ斜め前方の第２の視点のどちらの視点からでも、幅方向規制手段により指示される原稿サイズを確認できるので、上方からの視点からでも、椅子に座った状態等の低い視点からでも、容易に指標手段を確認できるという効果がある。
【発明を実施するための最良の形態】
【００１１】
以下、本発明を図示の実施形態に基づいて説明する。
【００１２】
（第１の実施形態）
図１は第１の実施形態に関する原稿給送装置１００の全体図である。図１に示す原稿給送装置１００は、原稿積載トレイ２と、それに設置された一対の幅方向規制板５及び６、原稿排紙トレイ３からなり、原稿積載トレイ２に積載された原稿は上から順に搬送され、原稿排紙トレイ３に排出される周知の装置である。
【００１３】
装置上部カバー１は原稿給送装置搬送部のカバーであり、角部に原稿セットＬＥＤ４を配置したカバーである。
【００１４】
原稿セットＬＥＤ４は原稿積載トレイ上に原稿が置かれ、その原稿を検知した際、原稿が正確に積載されていることをユーザに知らせるためのものである。原稿が正しく積載されれば、原稿セットＬＥＤ４が点灯する。この原稿セットＬＥＤ４を装置上部カバー１の上面から側面にかけた角部に配置することで、上方からの視点だけでなく、横からの低い視点からでも点灯を確認できるようになっている。
【００１５】
原稿積載トレイ２に積載された原稿は、幅方向規制板５及び６により中央に積載される。幅方向規制板は奥側５と手前側６が対になっていて、原稿サイズによって位置が変化するため、左右にスライドするその際、所定の原稿サイズの位置で幅方向規制板が止まるように、クリック感を持たせている。
【００１６】
図２は幅方向規制板６、及びその周辺の拡大図である。幅方向規制板５及び６は原稿積載時、原稿サイズによって位置が変化するため、左右にスライドする。手前側の幅方向規制板６は、幅方向規制板５よりも低くすることで、原稿搬送ガイドとしての高さと低い位置からの視線での視認性を両立している。幅方向規制板の位置を所定の原稿サイズに合わせるための原稿サイズ指標７を、装置カバー１上面から側面にＬ字型に配置している。
【００１７】
幅方向規制板の先端は装置に対し上方からの第１の視点からの場合、装置上部カバー１上面の原稿サイズ指標７を指し、装置に対してほぼ同等の高さ且つ斜め前方からの第２の視点からはカバー側面の原稿サイズ指標７を示すように、先端がシャープになっており、原稿サイズ指標７を斜めから指す形状になっている。
【００１８】
図３は原稿サイズ指標７周辺を上方から見た図である。原稿を積載する際、装置上方からの視点の場合、幅方向規制板６の先端が装置上部カバー１上面から側面にＬ字型に配置された原稿サイズ指標７の上面側の１点を指すようになっている。幅方向規制板６の先端を原稿指標に合わせることで、上方からの視点で幅方向規制板６を容易に操作することができる。幅方向規制板６の先端はシャープになっており、原稿サイズ指標７を斜めから指す形状になっている。なお、Ｌ字型の原稿サイズ指標７は上からの視点用と、横からの視点用に二枚に分けて配置してもよい。
【００１９】
図４は装置に対してほぼ同等の高さ且つ斜め前方から見た図であり、図５は装置に対して真正面から見た図である。真正面からの視点の場合、図５のように幅方向規制板６は側面しか見ることができないが、図４からわかるように、幅方向規制板６の端部を斜めにし、その面の２箇所の角部が合わさる点を装置上部カバー１側面の原稿サイズ指標７に合わせることで、上方からの視点と同一の原稿サイズ指標で、また同一の点で幅方向規制板６の位置を決めることができ、容易に操作することができる。
【００２０】
（第２の実施形態）
図６は第２の実施形態に関する原稿給送装置１００の全体図であり、図７は幅方向規制板６、及びその周辺の拡大図である。
【００２１】
原稿サイズ指標７は装置上部カバー１上面から側面にＬ字型に配置し、幅方向規制板６の上面には上からの視点時にカバー上面の原稿サイズ指標７を示す三角のザグリ矢印２０を配置する。また、手前側の幅方向規制板６は、幅方向規制板５よりも低くすることで、原稿搬送ガイドとしての高さと低い位置からの視線での視認性を両立している。
【００２２】
図８は原稿サイズ指標７周辺を上方から見た図である。装置上方からの視点の場合、幅方向規制板６の上面に配置されている、三角のザグリ矢印２０を装置上部カバー１上面側の原稿サイズ指標７に合わせることで、幅方向規制板６の位置を所定の原稿サイズに合わせることが容易に行える。
【００２３】
図９は装置に対してほぼ同等の高さ且つ斜め前方から見た図であり、図１０は装置に対して真正面から見た図である。真正面からの視点の場合、図１０のように幅方向規制板６は側面しか見ることができないが、斜め前方からの視点の場合、図９のように台形にした幅方向規制板６の二箇所の角部が合わさる点を、上方からの視点の時と同様に、装置上部カバー１側面の原稿サイズ指標７に合わせることで、幅方向規制板６の位置を所定の原稿サイズにあわせることができる。これにより、上方からと横からの両方の視点からも同一の原稿サイズ指標７の同一点で合わせることができる。
【００２４】
なお、第１の実施形態のときと同様に、Ｌ字型の原稿サイズ指標７を装置カバー１の上面と側面の二枚に分けた場合でも、それぞれの原稿サイズ指標で幅方向規制板６の位置を合わせることができる。
【００２５】
（第３の実施形態）
図１１は第３の実施形態に関する原稿給送装置１００の全体図であり、図１２は幅方向規制板６、及びその周辺の拡大図である。
【００２６】
原稿サイズ指標１０は原稿積載トレイ２上に配置し、原稿サイズ指標１０を示す突起形状８を幅方向規制板６の後端に配置する。原稿サイズ指標７は装置上部カバー１側面に配置し、原稿サイズ指標７を示す突起形状９を幅方向規制板６の先端に設ける。また、手前側の幅方向規制板６は、幅方向規制板５よりも低くすることで、原稿搬送ガイドとしての高さと低い位置からの視線での視認性を両立している。
【００２７】
図１３は原稿サイズ指標１０周辺を上方から見た図である。装置上方からの視点の場合、幅方向規制板６の後端に配置されている突起形状８を原稿積載トレイ２上の原稿サイズ指標１０に合わせることで、幅方向規制板６の位置を所定の原稿サイズに合わせることが容易に行える。
【００２８】
図１４は装置に対してほぼ同等の高さ且つ斜め前方から見た図であり、図１５は装置に対して真正面から見た図である。真正面からの視点の場合、図１５のように幅方向規制板６は側面しか見ることができないが、斜め前方からの視点の場合、図１４のように幅方向規制板６の先端の突起形状９を、装置カバー１側面の原稿サイズ指標７に合わせることで、幅方向規制板６の位置を所定の原稿サイズにあわせることができる。
【００２９】
上方からと斜め前方からの視点から見える別々の二つの原稿サイズ指標を設け、それぞれを別々の部分が指すことにより、上方からと斜め前方からの二つの視点から幅方向規制板６の位置を容易に合わせることができる。
【００３０】
（第４の実施形態）
図１６は、第４の実施形態に関する原稿給送装置１００の幅方向規制板及びその周辺の拡大図であり、図１７は原稿サイズ指標周辺を上方から見た図である。
【００３１】
第４の実施形態は、原稿サイズ指標１０を示す突起形状８を装置奥側の幅方向規制板５の後端に配置している点で、第３の実施形態と異なる。原稿サイズ指標７は、第３の実施形態と同様に、装置上部カバー１側面に配置し、原稿サイズ指標７を示す突起形状９を装置手前側の幅方向規制板６の先端に設ける。
【００３２】
手前側の幅方向規制板６は、幅方向規制板５よりも低くすることで、原稿搬送ガイドとしての高さと低い位置からの視線での視認性を両立している。また、手前側の幅方向規制板６における、原稿サイズ指標７側の部分を窪ませることによって、低い位置からの視認性を向上させている。
【００３３】
装置上方からの視点の場合、図１７のように装置奥側の幅方向規制板５の後端に配置されている突起形状８を原稿積載トレイ２上の原稿サイズ指標１０に合わせることで、幅方向規制板５の位置を所定の原稿サイズに合わせることが容易に行える。
【００３４】
また、装置に対してほぼ同等の高さ且つ斜め前方からの視点の場合、図１６のように装置手前側の幅方向規制板６の先端に配置されている突起形状９を、装置カバー１側面の原稿サイズ指標７に合わせることで、幅方向規制板６の位置を所定の原稿サイズに合わせることができる。
【００３５】
上方からと斜め前方からの視点から見える別々の二つの原稿サイズ指標を設け、それぞれを別々の部分が指すことにより、上方からと斜め前方からの二つの視点から幅方向規制板５，６の位置を容易に合わせることができる。
【図面の簡単な説明】
【００３６】
【図１】第１の実施形態に関する原稿給送装置の全体図である。
【図２】第１の実施形態に関する原稿給送装置の幅方向規制板及びその周辺の拡大図である。
【図３】第１の実施形態に関する原稿サイズ指標周辺を上方から見た図である。
【図４】第１の実施形態に関する原稿給送装置を装置に対し斜め前方から見た図である。
【図５】第１の実施形態に関する原稿給送装置を装置に対して真正面から見た図である。
【図６】第２の実施形態に関する原稿給送装置の全体図である。
【図７】第２の実施形態に関する原稿給送装置の幅方向規制板及びその周辺の拡大図である。
【図８】第２の実施形態に関する原稿サイズ指標周辺を上方から見た図である。
【図９】第２の実施形態に関する原稿給送装置を装置に対し斜め前方から見た図である。
【図１０】第２の実施形態に関する原稿給送装置を装置に対して真正面から見た図である。
【図１１】第３の実施形態に関する原稿給送装置の全体図である。
【図１２】第３の実施形態に関する原稿給送装置の幅方向規制板及びその周辺の拡大図である。
【図１３】第３の実施形態に関する原稿サイズ指標周辺を上方から見た図である。
【図１４】第３の実施形態に関する原稿給送装置を装置に対し斜め前方から見た図である。
【図１５】第３の実施形態に関する原稿給送装置を装置に対して真正面から見た図である。
【図１６】第４の実施形態に関する原稿給送装置の幅方向規制板及びその周辺の拡大図である。
【図１７】第４の実施形態に関する原稿サイズ指標周辺を上方から見た図である。
【符号の説明】
【００３７】
１  装置上部カバー
２  原稿積載トレイ
３  原稿排紙トレイ
４  原稿セットＬＥＤ
５  幅方向規制板
６  幅方向規制板
７  原稿サイズ指標
８  突起形状
９  突起形状
１０  原稿サイズ指標
２０  ザグリ矢印
１００  原稿給送装置
【図１】
2004299907.tif 000003
【図２】
2004299907.tif 000004
【図３】
2004299907.tif 000005
【図４】
2004299907.tif 000006
【図５】
2004299907.tif 000007
【図６】
2004299907.tif 000008
【図７】
2004299907.tif 000009
【図８】
2004299907.tif 000010
【図９】
2004299907.tif 000011
【図１０】
2004299907.tif 000012
【図１１】
2004299907.tif 000013
【図１２】
2004299907.tif 000014
【図１３】
2004299907.tif 000015
【図１４】
2004299907.tif 000016
【図１５】
2004299907.tif 000017
【図１６】
2004299907.tif 000018
【図１７】
2004299907.tif 000019